(57)【要約】      （修正有）【課題】什器の天板に対し、簡易な構造でありながら強固かつ安定的に取付けることができると共に、その体裁を良好に収める。【解決手段】固定部材４０のベース部４１を、仕切パネル本体２１のスリット内に収めることで、仕切パネル本体２１の側面にプレートが突出するのを防いで平滑なものとするとともに、固定部材４０を仕切パネル本体２１に強固に固定する。さらに、固定部材４０のプレート部４２を、仕切パネル本体２１および仕切延長パネル３０が位置する面に対して直交する方向に延ばして形成することで、仕切パネル本体２１を天板１１に強固かつ安定的に取り付ける。仕切パネル本体２１は、二枚一対のパネル材２３によって構成され、これら二枚一対のパネル材２３、２３の間に固定部材４０や仕切延長パネル３０を挟み込んで固定する。【選択図】図２
2011182878.tif 000002
【特許請求の範囲】
【請求項１】
什器の天板上を区画する仕切パネル本体と、
前記仕切パネル本体を前記天板に固定する固定部材と、を備え、
前記仕切パネル本体は、その一端側に開口して他端側に向けて延び、前記天板の端部が挿入される第一のスリットと、前記第一のスリットの下辺側に開口して当該第一のスリットの延びる方向に交差する方向に延びる第二のスリットと、を有し、
前記固定部材は、前記第二のスリット内に配設されて前記仕切パネル本体に固定されるベース部と、前記仕切パネル本体の厚さ方向に延び、前記天板の下面に当接し該天板に固定されるプレート部と、を有することを特徴とする仕切パネル。
【請求項２】
前記第二のスリットは、前記仕切パネル本体の前記一端側にも開口していることを特徴とする請求項１に記載の仕切パネル。
【請求項３】
前記固定部材は、前記ベース部の縁端に設けられ、前記仕切パネル本体の前記一端側における前記第二のスリットの開口側から前記ベース部を前記第二のスリットに挿入した状態で、前記仕切パネル本体の前記一端側に突き当たる突き当たり部が形成されていることを特徴とする請求項１または２に記載の仕切パネル。
【請求項４】
前記ベース部に、前記第二のスリットの幅方向に貫通する貫通孔が形成され、前記第二のスリットの一方の側から前記貫通孔を貫通して前記第二のスリットの他方の側に挿通される連結部材により、前記ベース部が前記第二のスリット内に配設されて前記仕切パネル本体に固定されることを特徴とする請求項１から３のいずれか一項に記載の仕切パネル。
【請求項５】
前記仕切パネル本体は、その厚さ方向に二枚一対のパネル部材を突き合わせることで形成され、互いに対向する少なくとも一方の前記パネル部材の他方と対向する対向面に、前記第二のスリットを形成するザグリ部が形成されていることを特徴とする請求項１から４のいずれか一項に記載の仕切パネル。
【請求項６】
前記仕切パネル本体の外周側に延びる延長パネルをさらに備え、
一対の前記パネル部材の少なくとも一方の前記対向面に、前記延長パネルの基部を収容し、二枚一対の前記パネル部材で挟み込む第二のザグリ部が形成されていることを特徴とする請求項５に記載の仕切パネル。
【請求項７】
天板を有する什器本体と、
請求項１から６のいずれか一項に記載の仕切パネルと、を備えることを特徴とする什器。
【請求項８】
前記プレート部には、その両面を貫通するプレート貫通孔が形成され、前記プレート貫通孔を貫通する固定ネジにより前記天板の下面に固定されていることを特徴とする請求項７に記載の什器。
【請求項９】
前記天板の下面にネジ穴が形成され、前記固定ネジが前記ネジ穴にねじ込まれることで前記プレート部が前記天板の下面に固定されていることを特徴とする請求項８に記載の什器。
【請求項１０】
前記プレート貫通孔にネジ溝が形成され、前記固定ネジが前記プレート貫通孔にねじ込まれ、当該固定ネジの先端部を前記天板の下面に押しつけることで前記プレート部が前記天板の下面に固定されていることを特徴とする請求項８に記載の什器。
【請求項１１】
前記天板の下面に、当該天板の前記一端部から内側に位置する凹部が形成され、
前記プレート部は、前記凹部内に収容されて前記天板の下面に固定されていることを特徴とする請求項７から１０のいずれか一項に記載の什器。
【請求項１２】
前記凹部は、前記天板の前記一端部に平行に形成された溝であることを特徴とする請求項１１に記載の什器。
【発明の詳細な説明】
【技術分野】
【０００１】
本発明は、オフィスや店舗、公共施設等の執務空間にて使用される天板付什器に取付けることによって、天板上を複数の空間に区画する仕切パネルおよびそれを備えた什器に関する。
【背景技術】
【０００２】
金融店舗や役場、各種相談窓口等、デスク、テーブルやカウンター越しに接客を行うことが一般的な施設においては、衝立状の仕切パネルを天板上に設け、他の顧客の利用スペースとは独立した空間を形成することが多く行われている。
【０００３】
簡易的には、デスクやテーブル、カウンター等の什器の天板に仕切パネルを載置すれば良いが、天板上に載置したのみでは、外力が加えられると仕切パネルが所定の位置から容易に移動してしまう。
【０００４】
そこで、仕切パネルを天板に対して確実に固定する必要がある。什器の天板に対する仕切パネルの取付構造としては、様々なものが提案されている。
例えば、天板を支持する脚体と一体となって仕切パネルを天板上に突出させて設けるものが提案されている（例えば、特許文献１参照）。
また、脚体の一部を天板から露出させ、その脚体上に仕切パネルを取り付ける構造が提案されている（例えば、特許文献２参照）。
【０００５】
しかしながら、特許文献１、２のような仕切パネルの取付構造では、脚体を設ける位置にしか仕切パネルを設けることができず、使用目的に応じて所望の任意位置で天板上の空間を仕切パネルによって仕切ることができなかった。特に、特許文献２のような取付構造では、天板上に露出する脚体の上面に仕切パネルを突き当てて固定する必要がある。このため、一般的な固定手段としては、天板上に露出する脚体の上面と仕切パネルとを結合金具を介してボルト等で緊結するものなどが考えられる。このような構成とすると、結合金具やボルトが外部に露出することとなり、体裁が悪くなってしまう問題があった。さらに、ボルト等で緊結することで、天板上に露出する脚体の上面にボルト穴が形成されてしまうこととなり、仕切パネルを使用しない場合にボルト穴が露出してしまい、さらに体裁が悪くなってしまう。これらの問題は、天板に仕切パネルを直接固定する場合も同様である。
【０００６】
また、天板上にアリ溝を形成するとともに、仕切パネルの下端にアリ溝と対応する係合片を設け、アリ溝に係合片を挿入して係合させることで仕切パネルを固定する構造が提案されている（例えば、特許文献３参照）。
【０００７】
しかし、このような構造では、仕切パネルの固定位置が天板上のアリ溝が形成されている所定位置に限られ、上記同様に使用目的に応じて所望の位置で仕切パネルによって天板上の空間を仕切ることはできない。また、アリ溝と係合片との係合によって、係合片を固定するための金具やボルトが露出してしまうことを防止できるものの、仕切パネルを使用しない場合には、アリ溝が天板上に露出してしまう。したがって、体裁が悪くなってしまうという点では、特許文献１、２に記載の技術と同様である。なお、仕切パネルを使用しない場合には、アリ溝に平面保持用の係合片を挿入する点が開示されているが、アリ溝の存在が外観上確認できてしまうのに変わりはなく、いずれにしても良好な体裁を得ることはできなかった。
【０００８】
また、天板に形成した取付手段と仕切パネルに設けた被取付手段とを用いて、天板上に載置された仕切パネルを天板に固定する構造も存在する（例えば、特許文献４、５参照）。
しかし、このような構造においても天板に加工を施す必要性が生じるため、コスト増の要因となると共に、天板上面の体裁が悪くなるという問題を有している
【０００９】
これらの事情を鑑み、金具等の露出により体裁が悪くなってしまうことを防止しつつ、天板上の所望の位置に、確実に仕切パネルを固定することが可能なカウンター装置が提案されている（特許文献６参照）。
その技術内容は、仕切パネルの後端から前方に向かって切欠き部を形成して、天板の前端部を切欠き部内に挿入し、仕切パネルの切欠き部上方に設けた挟持体で天板を締付ける事によって、天板に仕切パネルを固定する構成である。
【先行技術文献】
【特許文献】
【００１０】
【特許文献１】実開昭５４−１２１７９１号公報
【特許文献２】実開平５−４３９５５号公報
【特許文献３】実開昭５４−１７９９０１号公報
【特許文献４】特開２００５−１３１２００号公報
【特許文献５】特許第４０２３９０１号公報
【特許文献６】特開２００９−２７９０３５号公報
【発明の概要】
【発明が解決しようとする課題】
【００１１】
しかしながら、特許文献６に記載の技術においては、強固に固定できる一方で、狭持体を操作部で回転させるための機構部が必要である。また、手動の回転式の挟持体のみで天板に仕切パネルが保持されているため、仕切パネルを、より強固に固定するためには、やはりネジ止めなどの手段が必要であった。また、挟持体およびその操作部が、天板上方に位置する仕切パネルに設けられているため、これらが外部に露呈することになり、より体裁の良いものが求められていた。
本発明は、このような技術的課題に基づいてなされたもので、什器の天板に対し、簡易な構造でありながら強固かつ安定的に取付けることができると共に、その体裁を良好に収めることのできる仕切パネルおよびそれを備えた什器を提供することを目的とする。
【課題を解決するための手段】
【００１２】
かかる目的のもとになされた本発明の仕切パネルは、什器の天板上を区画する仕切パネル本体と、仕切パネル本体を天板に固定する固定部材と、を備え、仕切パネル本体は、その一端側に開口して他端側に向けて延び、天板の端部が挿入される第一のスリットと、第一のスリットの下辺側に開口して当該第一のスリットの延びる方向に交差する方向に延びる第二のスリットと、を有し、固定部材は、第二のスリット内に配設されて仕切パネル本体に固定されるベース部と、仕切パネル本体の厚さ方向に延び、天板の下面に当接し該天板に固定されるプレート部と、を有することを特徴とする。
このような構成では、第一のスリットの下辺側（天板の下方となる側）に固定部材を設けることで、固定部材のプレート部と、仕切パネル本体の第一のスリットの他辺側とで天板を挟み込むことができる。これにより、天板上には固定のための機構部等を設ける必要がない。また、固定部材のベース部が、仕切パネル本体の第二のスリット内に配設されることで、ベース部が仕切パネル本体の外部に露出しない。
また、仕切パネル本体の厚さ方向に延び、天板の下面に対向するプレート部を、固定ネジ等によって天板に固定するのみで仕切パネルを什器の天板に安定的に固定することができる。
【００１３】
ここで、第二のスリットは、第一のスリットの下辺側に開口して固定部材のベース部を内部に配設することが可能であれば、いかなる構成としても良い。例えば、第二のスリットは、仕切パネル本体の一端側にも開口したものとすることができる。これにより固定部材のベース部を、仕切パネル本体の一端側の開口側から第二のスリット内に挿入してセットすることができる。
この場合、固定部材は、ベース部の縁端に設けられ、仕切パネル本体の一端側における第二のスリットの開口側からベース部を第二のスリットに挿入した状態で、仕切パネル本体の一端側に突き当たる突き当たり部を有するものとするのが好ましい。これにより、固定部材のベース部を、仕切パネル本体の一端側の開口側から第二のスリット内に挿入したときに、突き当たり部が仕切パネル本体の一端側に突き当たることで、固定部材を仕切パネル本体に対して位置決めできる。
なお、この突き当たり部は、ベース部の一方または双方に張り出すように形成しても良いし、ベース部の一部として、突起等を設けても良い。
【００１４】
さらに、ベース部に、第二のスリットの幅方向に貫通する貫通孔を形成し、第二のスリットの一方の側から貫通孔を貫通して第二のスリットの他方の側に挿通される連結部材により、第二のスリット内に配設されたベース部を仕切パネル本体に固定することができる。
【００１５】
仕切パネル本体は、第一のスリットおよび第二のスリットが形成されていれば、いかなる構成としても良い。例えば、一枚のパネル材に、切削加工等により第一のスリットおよび第二のスリットを形成しても良い。
また、仕切パネル本体を、二枚一対のパネル部材をその厚さ方向に突き合わせることで形成することができる。この場合、互いに対向する少なくとも一方のパネル部材の他方と対向する対向面にザグリ部を形成することで、第二のスリットを形成することができる。
【００１６】
また、仕切パネル本体の外周側に延びる延長パネルをさらに備え、一対のパネル部材の少なくとも一方の対向面に、延長パネルの基部を収容し、二枚一対のパネル部材で挟み込む第二のザグリ部を形成することもできる。これにより、二枚一対のパネル部材で延長パネルを、その基部を挟み込んで設けることができる。
【００１７】
本発明は、天板を有する什器本体と、上記したような仕切パネルと、を備えることを特徴とする什器とすることもできる。
ここで、プレート部には、その両面を貫通するプレート貫通孔が形成され、プレート貫通孔を貫通する固定ネジにより天板の下面に固定することができる。具体的には、例えば、天板の下面にネジ穴が形成され、固定ネジがネジ穴にねじ込まれることでプレート部を天板の下面に固定することができる。また、プレート貫通孔にネジ溝が形成され、固定ネジがプレート貫通孔にねじ込まれ、当該固定ネジの先端部を天板の下面に押しつけることでプレート部を天板の下面に固定することもできる。
【００１８】
また、天板の下面に、当該天板の一端部から内側に位置する凹部が形成され、プレート部は、凹部内に収容されて天板の下面に固定することができる。これにより、プレート部およびこれを天板の下面に固定するための固定ネジが凹部内に収まり、下方に突出しない構成とすることができる。
この場合、凹部は、あらかじめ定められた位置に形成しても良い。また、凹部を、天板の一端部に平行に形成された溝によって形成することもできる。これにより、プレート部を、溝の連続する方向の任意位置で天板の下面に固定することができる。
【発明の効果】
【００１９】
本発明によれば、固定部材のプレート部が、仕切パネル本体が位置する面に対して直交する方向に延びて天板に対向しているため、プレート部と仕切パネル本体とで天板を挟み込み、仕切パネル本体を強固かつ安定的に取り付けることができる。さらに、固定部材のベース部は、仕切パネル本体の第二のスリット内に収められているため、仕切パネル本体に対し、固定部材も安定的に取り付けられており、仕切パネル本体の安定的な取付に寄与している。
また、このような仕切パネルは、天板の任意の位置に容易に取り付けることができ、その取り付けや位置変更を容易に行うことができ、利用者の利便性が高まる。
また、固定部材のベース部が第二のスリット内に収容されることで、仕切パネル本体の側面にプレート部が突出するのを防いで平滑なものとすることができる。これにより、利用者の身体等との干渉を防ぐとともに、その外観的な体裁を良好に収めることができる。
【００２０】
また、仕切パネル本体を、二枚一対のパネル材によって構成することができ、これら二枚一対のパネル材の間に固定部材を挟み込んで強固に固定することができる。パネル材は、その対向面における少なくとも一面側に固定部材を収めるためのザグリ等を形成すればよいので、その加工を容易に行える。
【図面の簡単な説明】
【００２１】
【図１】本実施形態にかかる仕切パネルを設けたカウンター装置を示す斜視図である。
【図２】カウンター装置の天板に仕切パネルを取り付けた状態を示す断面図である。
【図３】仕切パネルの構成を示す展開斜視図である。
【図４】固定部材を示す斜視図である。
【図５】天板に仕切パネルを取り付けた状態における固定部材を示す断面図である。
【図６】仕切パネルを示す斜視図である。
【図７】仕切パネルの天板への取付構造を示す図であり、天板の下方側から見たときの斜視図である。
【図８】天板の下面に溝を形成した場合の仕切パネルの天板への取付構造を示す斜視図である。
【図９】仕切パネルの他の形態を示す断面図である。
【発明を実施するための形態】
【００２２】
以下、添付図面を参照して、本発明による仕切パネルおよびそれを用いた什器を実施するための最良の形態を説明する。しかし、本発明はこれらの実施例のみに限定されるものではない。
【００２３】
図１に示すように、本実施形態のカウンター装置（什器）１は、例えば、来客者が出入りする第一のエリアＡ１と、執務を行う第二のエリアＡ２とを区切りつつ、来客者を接客する複数の窓口を区画する場合などに利用され、天板１１を有するカウンター本体（什器本体）１０と、カウンター本体１０の天板１１上を区画する仕切パネル２０とを備える。
【００２４】
カウンター本体１０は、第一のエリアＡ１と第二のエリアＡ２とを区切るように配設方向Ｘに横長に配設され、図示しない脚により支持された上記天板１１と、幕板１２とを備える。天板１１は、略水平に配設されており、第一のエリアＡ１に位置する一の使用者と、第二のエリアＡ２に位置する他の使用者とが天板１１を挟んで正対しつつ、上面１１ａが書類作成などの作業を行うのに利用される。幕板１２は、天板１１の下面１１ｂから床面に向かって突出するように設けられている。
【００２５】
図１、図２に示すように、仕切パネル２０は、略板状の仕切パネル本体２１と、仕切パネル本体２１から上方および第一のエリアＡ１側に突出するよう設けられた仕切延長パネル（延長パネル）３０と、仕切パネル本体２１を天板１１に固定する固定部材４０とを備える。
【００２６】
図２、図３に示すように、仕切パネル本体２１は、全体として略Ｃ字状をなしており、上下方向の中間部には、両側面に貫通するとともにその一端２１ａ側に開口し、他端２１ｂ側に向けて延びる切欠き（第一のスリット）２２が形成されている。図２に示したように、仕切パネル本体２１は、この切欠き２２に天板１１の第一のエリアＡ１側の端部１１ｃが挿入され、後述の固定部材４０が天板１１の下面１１ｂに固定されることで、仕切パネル本体２１が固定されている。この状態で、仕切パネル本体２１において、切欠き２２の上側の本体上部２１ｃが天板１１の上面１１ａ上に立ち上がり、切欠き２２の下側の本体下部２１ｄが天板１１の下方に位置し、他端２１ｂ側が、天板１１の端部１１ｃから第一のエリアＡ１側に突出するようになっている。
ここで、本体下部２１ｄにおいては、仕切パネル本体２１の一端２１ａ側の端部が、切欠き２２の延びる方向に直交する端部平面２１ｅとされている。
【００２７】
図３に示すように、仕切パネル本体２１は、二枚一対の木製のパネル材２３、２３からなる。各パネル材２３は、木材から形成され、仕切パネル本体２１を厚さ方向に二分割した形状をなしている。パネル材２３が、対向する他のパネル材２３に対向する側の面には、切欠き２２の周囲に、他のパネル材２３との突き当たり面２４が形成されている。
【００２８】
また、パネル材２３において、切欠き２２の下方位置には、あらかじめ定められた深さの固定部材用ザグリ部（ザグリ部）２５が形成されている。固定部材用ザグリ部２５は、突き当たり面２４と隣接する部分の段部端面２５ａが、端部平面２１ｅと平行に形成されている。これにより、固定部材用ザグリ部２５は、切欠き２２が連続する方向に直交する方向に同一断面形状を連続させて形成されている。
固定部材用ザグリ部２５には、パネル材２３の両面を貫通する貫通孔２６が形成されている。
【００２９】
また、パネル材２３において、突き当たり面２４に対し、仕切パネル本体２１の本体上部２１ｃ側と他端２１ｂ側には、仕切延長パネル３０を固定するためのパネル固定用ザグリ部（第二のザグリ部）２７が形成されている。このパネル固定用ザグリ部２７は、仕切延長パネル３０の厚さの略１／２の深さで形成されている。パネル固定用ザグリ部２７は、突き当たり面２４と隣接する部分に段部端面２７ａが形成されている。段部端面２７ａは、切欠き２２の上辺に平行な水平端面２７ｂと、水平端面２７ｂに直交し、段部端面２５ａに平行とされた垂直端面２７ｃとからなる略Ｌ字状とされている。
また、パネル固定用ザグリ部２７には、複数個所に、パネル固定穴２８が形成されている。パネル固定穴２８は、非貫通で、パネル材２３において、相手方のパネル材２３と対向する側から所定の深さに形成された有底状とするのが好ましい。
【００３０】
このようなパネル材２３を二枚一対として互いに対向させると、突き当たり面２４、２４どうしを突き合わせた状態で、固定部材用ザグリ部２５、２５が対向する部分と、パネル固定用ザグリ部２７、２７が対向する部分には、スリット（第二のスリット）２９Ａ、スリット２９Ｂが形成される。ここで、スリット２９Ａは、切欠き２２側と、端部平面２１ｅ側とに少なくとも開口している。
【００３１】
仕切延長パネル３０は、アクリル、ポリカーボネイト等の樹脂やガラス等からなる、透明または半透明の板状とされている。もちろん、仕切延長パネル３０は、木材をはじめとする他の材質で形成することも可能であり、また、不透明とすることもできる。
仕切延長パネル３０には、パネル固定用ザグリ部２７の段部端面２７ａに対応したＬ字状の端面３０ａが形成されている。また、仕切延長パネル３０には、パネル固定穴２８に対応した所定位置に、貫通孔３１が形成されている。
【００３２】
このような仕切延長パネル３０は、その基部がスリット２９Ｂに挿入され、互いに対向する一対のパネル材２３、２３間に挟み込まれて固定される。この状態で、Ｌ字状の端面３０ａがパネル固定用ザグリ部２７の段部端面２７ａに突き当たることで、仕切延長パネル３０が安定的に支持されるとともに、仕切延長パネル３０の下方および仕切パネル本体２１の一端２１ａ側への移動が規制される。
さらに、両側のパネル材２３のパネル固定用ザグリ部２７に形成されたパネル固定穴２８、仕切延長パネル３０に形成された貫通孔３１に、円柱状のダボピン３２を挿入することで、仕切延長パネル３０が固定されている。ここで、ダボピン３２は、その両端部が、パネル固定穴２８に接着剤等により接着されている。
【００３３】
さて、図４に示すように、固定部材４０は、金属製で、スリット２９Ａに配設されるベース部４１と、ベース部４１の上端部からその両側に、ベース部４１に交差する方向、例えば直交する方向に延びるプレート部４２、４２とを備えた、略Ｔ字状をなしている。これらベース部４１、プレート部４２は、Ｌ字状の帯状のプレート材を互いに突き合わせて接合することで形成すれば低コストで形成できる。
ベース部４１は、スリット２９Ａの幅、すなわち固定部材用ザグリ部２５の深さの２倍の厚さを有している。また、ベース部４１には、その両面を貫通する貫通孔４３が形成されている。
【００３４】
プレート部４２、４２は、その一辺４２ａに対し、他辺４２ｂが斜めになるように形成され、ベース部４１側の基部４２ｃから外方に張り出して先端部４２ｄにいくにしたがい、その幅が漸次縮小する形状とされている。また、プレート部４２、４２には、その上下を貫通する貫通孔（プレート貫通孔）４４が形成されている。
ここで、このプレート部４２の基部４２ｃの幅に対し、ベース部４１の幅は小さく形成されている。これは、ベース部４１の幅を抑えることで、強度を確保しつつも、軽量化、固定部材用ザグリ部２５の大きさを抑えることによる加工手間の低減といった効果を得るためである。
また、プレート部４２は、斜めに形成された他辺４２ｂが、固定部材４０を天板１１に固定した状態で第一のエリアＡ１側となるよう設けられる。これにより、固定部材４０のプレート部４２が天板１１の下面において下方に突出する部分を少なくすることができ、ユーザの身体との干渉を防ぐことができる。
【００３５】
また、固定部材４０は、ベース部４１の一辺４１ａとプレート部４２の一辺４２ａに沿う補強プレート４５が一体に設けられている。補強プレート４５は、ベース部４１およびプレート部４２とは直交する面内に位置し、ベース部４１の一辺４１ａとプレート部４２の一辺４２ａとを斜めに結ぶガセット状に設けられている。
また、補強プレート４５には、ベース部４１の一辺（縁端）４１ａに沿う部分に、スリット２９Ａの幅よりも大きな幅を有することでベース部４１よりも側方に突出する突出部（突き当たり部）４５ａが形成されている。
なお、この突出部４５ａは、ベース部４１の両側に突出しているが、一方の側のみに突出して形成しても良い。
【００３６】
このような固定部材４０は、ベース部４１がスリット２９Ａに挿入されて、互いに対向する一対のパネル材２３、２３間に挟み込まれる。この状態で、図５に示すように、ベース部４１の一辺４１ａ側に設けられた補強プレート４５の突出部４５ａを、端部平面２１ｅに突き当てることで、固定部材４０における仕切パネル本体２１の他端２１ｂ側への移動が規制されている。
そして、両側のパネル材２３の固定部材用ザグリ部２５に形成された貫通孔２６、ベース部４１の貫通孔４３に、ネジ等の連結部材４６を挿入することで、互いに対向する２枚のパネル材２３どうしが連結されるとともに、固定部材４０が仕切パネル本体２１に固定される。ここで、両側のパネル材２３の貫通孔２６の一方を雌ねじ孔とすれば、連結部材４６として雄ネジの先端をねじ込むのみで２枚のパネルどうし２３を連結できる。もちろんこれに代えて、ボルト・ナット等を用いることができるが、突出物を少なくするという観点から、上記のような雌ネジ孔とネジ（雄ネジ）を採用するのが好ましい。
【００３７】
このようにして固定部材４０を仕切パネル本体２１に取り付けると、図６に示すように、切欠き２２の下辺側において、プレート部４２、４２が両側に、仕切パネル本体２１の厚さ方向に張り出して位置する。これにより、図７に示すように、切欠き２２にカウンター本体１０の天板１１を挿入すると、天板１１の下面１１ｂにプレート部４２、４２が対向する。このプレート部４２、４２に形成された貫通孔４４、４４を通して固定ネジ４７を天板１１の下面１１ｂに固定することで、固定部材４０が天板１１に固定される。このとき、固定ネジ４７は、天板１１の下面１１ｂに予め形成したネジ穴等に挿入しても良いが、固定ネジ４７の先端部を天板１１の下面１１ｂに押しつけるのみでも、固定部材４０と仕切パネル本体２１とで天板１１を上下から挟み込んで仕切パネル２０を固定することができる。この場合は、プレート部４２の貫通孔４４の内周面にネジ溝を形成しておく。
【００３８】
図１に示したように、このような仕切パネル２０は、仕切パネル本体２１の本体上部２１ｃおよび仕切延長パネル３０が、天板１１の上方において、第一のエリアＡ１側に突出していることで、第一のエリアＡ１側で利用する者同士が隣りの区画を視認できないようにしている。一方、仕切パネル本体２１の本体上部２１ｃおよび仕切延長パネル３０は、第二のエリアＡ２側には天板１１の途中までしか配設されておらず、第二のエリアＡ２側で利用する者同士が隣りの区画を視認可能な状態としている。
【００３９】
上述したような仕切パネル２０によれば、固定部材４０のプレート部４２が、仕切パネル本体２１および仕切延長パネル３０が位置する面に対して直交する方向に延びて形成されているため、仕切パネル本体２１および仕切延長パネル３０を天板１１に強固かつ安定的に取り付けることができる。
さらに、固定部材４０のベース部４１は、仕切パネル本体２１のスリット２９Ａ内に収められているため、仕切パネル本体２１に対し、固定部材４０も安定的に取り付けられており、仕切パネル本体２１および仕切延長パネル３０の安定的な取付に寄与している。
また、固定部材４０のベース部４１がスリット２９Ａ内に収容されることで、仕切パネル本体２１の側面にプレートが突出するのを防いで平滑なものとすることができる。これにより、利用者の身体等との干渉を防ぐとともに、その外観的な体裁を良好に収めることができる。
しかも、仕切パネル本体２１は、二枚一対のパネル材２３によって構成され、これら二枚一対のパネル材２３、２３の間に固定部材４０や仕切延長パネル３０を挟み込んで強固に固定することができる。
【００４０】
また、固定部材４０の位置は、固定ネジ４７を緩めることで容易に変更することができ、ユーザ側における使い勝手にも優れる。
【００４１】
なお、上記実施形態では、固定部材４０のプレート部４２が、天板１１の下面１１ｂに突き当たるようにしたが、図８に示すように、天板１１の下面１１ｂにおいて端部１１ｃから所定寸法内側の位置に、端部１１ｃと平行をなすＸ方向に連続する溝（凹部）８０を形成しても良い。そして、この溝８０内に固定部材４０のプレート部４２を挿入した状態で、プレート部４２を溝８０の底面８０ａにおいて天板１１に固定する。
これにより、固定部材４０をエリアＡ１側に移動するのを拘束でき、仕切パネル２０を確実に固定できる。また、固定部材４０は、溝８０が連続する範囲内で、固定部材４０を自由に移動させて任意の位置で固定することができる。さらに、プレート部４２が溝８０内で固定されることにより、固定ネジ４７が下方に突出するのを防ぎ、利用者の身体等と干渉するのを防ぐことができる。
【００４２】
（その他の実施形態）
なお、本発明は、図面を参照して説明した上述の各実施形態に限定されるものではなく、その技術的範囲において様々な変形例が考えられる。
例えば、図９に示すように、仕切パネル本体２１’を床面１００の近傍まで下方に延ばし、その下端部に、床面１００上に設置する脚８１を設けるようにしても良い。これにより、仕切パネル２０’を、天板１１の下方空間までを仕切るものとすることができ、より独立したパーソナルな空間を提供できる。
このとき、仕切パネル本体２１’の天板１１に対する固定構造は上記実施形態と同様であるため、仕切パネル２０’の天板１１への取付、位置変更等を容易に行うことができる等の、上記実施形態における効果を同様に得ることができる。
なお、図９に示した構成においては、固定部材４０を二つ用いている。このように、固定部材４０の設置数や位置については、何ら限定するものではない。
【００４３】
また、上記実施形態では、スリット２９Ａを、切欠き２２側と、端部平面２１ｅ側とに開口するようにし、補強プレート４５の突出部４５ａを端部平面２１ｅに突き当てて固定部材４０の位置決めを行う構成としたが、これに限るものではない。例えば、スリット２９Ａを、端部平面２１ｅ側には開口せず、切欠き２２側から切欠き２２の連続する方向と直交する方向に連続するよう形成しても良い。この場合、固定部材４０のベース部４１をスリット２９Ａ内に挿入することを考慮すると、仕切パネル本体２１は、二枚一対のパネル材２３で形成するのが好ましい。
【００４４】
また、上記実施形態では、仕切パネル本体２１を、二枚一対のパネル材２３で形成する構成としたが、これに限るものではない。例えば、一枚のパネル材料から仕切パネル本体２１を形成し、スリット２９Ａ、２９Ｂ等を切削加工等により形成しても良い。
また、二枚一対のパネル２３、２３により仕切パネル本体２１を形成する場合においても、二枚のパネル２３、２３は対称な形状とすることは必須ではなく、スリット２９Ａ、２Ｂを形成できるのであれば、二枚のパネル２３の分割位置は適宜変更可能であり、固定部材用ザグリ部２５やパネル固定用ザグリ部２７は、互いに対向する二枚のパネル２３のうち、少なくとも一方のパネル２３において、他方のパネル２３と対向する対向面に形成すればよい。
【００４５】
さらに、上記実施形態では、仕切パネル本体２１に仕切延長パネル３０を設ける構成としたが、仕切延長パネル３０については、仕切パネル２０として必須の構成とするものではない。
これ以外にも、本発明の主旨を逸脱しない限り、上記実施の形態で挙げた構成を取捨選択したり、他の構成に適宜変更することが可能である。
【符号の説明】
【００４６】
１      カウンター装置（什器）
１０    カウンター本体（什器本体）
１１    天板
１１ｂ  下面
１１ｃ  端部
２０    仕切パネル
２１    仕切パネル本体
２１ａ  一端
２１ｂ  他端
２１ｅ  端部平面
２２    切欠き（第一のスリット）
２３    パネル材
２５    固定部材用ザグリ部（ザグリ部）
２７    パネル固定用ザグリ部（第二のザグリ部）
２８    パネル固定穴
２９Ａ  スリット（第二のスリット）
２９Ｂ  スリット
３０    仕切延長パネル（延長パネル）
４０    固定部材
４１    ベース部
４２    プレート部
４３    貫通孔
４４    貫通孔（プレート貫通孔）
４５    補強プレート
４５ａ  突出部（突き当たり部）
４６    連結部材
４７    固定ネジ
８０    溝（凹部）
【図１】
2011182878.tif 000003
【図２】
2011182878.tif 000004
【図３】
2011182878.tif 000005
【図４】
2011182878.tif 000006
【図５】
2011182878.tif 000007
【図６】
2011182878.tif 000008
【図７】
2011182878.tif 000009
【図８】
2011182878.tif 000010
【図９】
2011182878.tif 000011